(57)【特許請求の範囲】
【請求項１】
回収対象とする魚が存在する水域を、前記魚を集める集魚領域および前記魚が成育する成育領域に、水面から底にかけて仕切ると共に、水面下に前記魚が前記集魚領域と前記成育領域との間で通過可能な大きさの連通部が設けられた仕切部と、
前記連通部に設けられ、前記魚の前記集魚領域から前記成育領域への通過を防止し、前記成育領域から前記集魚領域への通過を可能とする逆止弁と、
前記成育領域から排水する排水部と、
前記集魚領域に給水する給水部と、
を有する魚回収システム。
【請求項２】
回収対象とする魚が成育する成育領域の外部に、前記魚を集める集魚領域を形成すると共に、水面下に前記魚が前記集魚領域と前記成育領域との間で通過可能な大きさの連通部が設けられた集魚部と、
前記連通部に設けられ、前記魚の前記集魚領域から前記成育領域への通過を防止し、前記成育領域から前記集魚領域への通過を可能とする逆止弁と、
前記成育領域から排水する排水部と、
前記集魚領域に給水する給水部と、
を有する魚回収システム。
【請求項３】
前記仕切部を複数有し、
前記複数の仕切部の連通部に各々設けられ、少なくとも一つは前記魚が通過可能で、かつ他は当該魚が通過できない大きさの網目の複数の網部
をさらに有する請求項１記載の魚回収システム。
【請求項４】
前記集魚部を複数有し、
前記複数の集魚部の連通部に各々設けられ、少なくとも一つは前記魚が通過可能で、かつ他は当該魚が通過できない大きさの網目の複数の網部
をさらに有する請求項２記載の魚回収システム。
【請求項５】
前記成育領域は、平均的な水深が前記集魚領域より浅い領域とされている
請求項１〜請求項４の何れか１項記載の魚回収システム。
【請求項６】
前記連通部は、前記成育領域の底に接するように設けられている
請求項５記載の魚回収システム。
【請求項７】
回収対象とする魚が存在する水域を、前記魚を集める集魚領域および前記魚が成育する成育領域に、水面下に前記魚が前記集魚領域と前記成育領域との間で通過可能な大きさの連通部が設けられた仕切部により水面から底にかけて仕切ると共に、前記連通部に、前記魚の前記集魚領域から前記成育領域への通過を防止し、前記成育領域から前記集魚領域への通過を可能とする逆止弁を設け、
前記成育領域から排水すると共に、前記集魚領域に給水する
魚回収方法。
【請求項８】
回収対象とする魚が成育する成育領域の外部に、前記魚を集める集魚領域を、水面下に前記魚が前記集魚領域と前記成育領域との間で通過可能な大きさの連通部が設けられた集魚部により形成すると共に、前記連通部に、前記魚の前記集魚領域から前記成育領域への通過を防止し、前記成育領域から前記集魚領域への通過を可能とする逆止弁を設け、
前記成育領域から排水すると共に、前記集魚領域に給水する
魚回収方法。
【発明の詳細な説明】
【技術分野】
【０００１】
本発明は、魚を回収する魚回収システムおよび魚回収方法に関する。
【背景技術】
【０００２】
従来より、食用、観賞用、愛玩用、研究用、餌用等として、多くの種類の魚が養殖されている。
【０００３】
例えば、ドジョウはドジョウ科に属し、自然界では、水田、湿地、池や、これらの周辺の細流に多く生息し、さらに、河川の中流から下流域、用水路等の流れの緩やかな泥底にも生息している。また、ドジョウは、流れのある水域で遡上する習性がある。
【０００４】
また、例えば、フナはコイ科に属し、自然界では、河川、湿地、池等に生息し、河川では下流域の淀みや支流との合流地点に多く見られる。また、フナも、流れのある水域で遡上する習性がある。なお、遡上する習性がある魚は、例えば、メダカ、コイ、ナマズ等、ドジョウやフナ以外にも多数存在する。
【０００５】
この種の魚を養殖するための技術として、特許文献１には、縦方向に並列配置されている選別棒から魚類分離流通部の選別棒の間隔調整によって養殖水槽を複数に区分し、魚類をその大きさに応じて順次区分数に選別して飼育することを特徴とする魚類養殖法が開示されている。
【０００６】
ところで、以上のようなドジョウやフナ等の魚を養殖して市場等に出荷する場合、最終的には養殖場から魚を回収する必要がある。この場合、例えば、回収作業を行う作業者が網等を用いて魚を養殖場から回収する方法が考えられるが、この方法では、膨大な手間がかかってしまい、効率よく魚を回収することができない。また、例えば、作業者が養殖場に筌を設置して所定期間待機した後に、当該筌に入った魚を筌ごと養殖場から回収する方法も考えられる。しかしながら、この方法でも、筌に魚が入るまでに時間がかかったり、目的に応じた数の魚が筌に入るまで待機している間に、先に筌に入った魚が筌内で動いて魚の体に傷がついてしまったりして、効率よく魚を回収することができない。
【０００７】
この問題を解決するために適用することができる技術として、特許文献２には、養殖領域でドジョウを養殖飼育するドジョウの養殖方法であって、各養殖領域は、所定の高さに盛り上げられた畦の内側に、生態系が保全された自然環境保全領域を有するとともに、前記自然環境保全領域の周囲に当該自然環境保全領域よりも水深が深くなるように溝部が掘り下げ形成されていることを特徴とするドジョウの養殖方法が開示されている。
【０００８】
このドジョウの養殖方法によれば、上記養殖領域内の水を排水する排水手段の排水口に受け籠を設置し、当該排水手段により排水すると同時に、排水の中のドジョウを受け籠で捕獲する。
【先行技術文献】
【特許文献】
【０００９】
【特許文献１】特開２００２−１７１８６４号公報
【特許文献２】特開２００５−６５５６２号公報
【発明の概要】
【発明が解決しようとする課題】
【００１０】
しかしながら、上記特許文献２に開示されている技術は、排水手段の近くに生息している魚は排水による水流に乗る場合もあり、この場合は、魚を排水手段の排水口に設置された受け籠により捕獲することはできる。しかしながら、排水手段から離れた位置に生息している魚は必ずしも当該水流に乗るとは限らず、必ずしも効率よく魚を回収することができるとは限らない、という問題点があった。
【００１１】
なお、この問題点は、淡水魚を回収する場合に限らず、海水魚を回収する場合にも当てはまることである。
【００１２】
本発明は上記問題点を解決するためになされたものであり、魚の位置にかかわらず、効率よく魚を回収することができる魚回収システムおよび魚回収方法を提供することを目的とする。
【課題を解決するための手段】
【００１３】
上記目的を達成するために、第１の発明の魚回収システムは、回収対象とする魚が存在する水域を、前記魚を集める集魚領域および前記魚が成育する成育領域に、水面から底にかけて仕切ると共に、水面下に前記魚が前記集魚領域と前記成育領域との間で通過可能な大きさの連通部が設けられた仕切部と、前記連通部に設けられ、前記魚の前記集魚領域から前記成育領域への通過を防止し、前記成育領域から前記集魚領域への通過を可能とする逆止弁と、前記成育領域から排水する排水部と、前記集魚領域に給水する給水部と、を有している。
【００１４】
第１の発明の魚回収システムによれば、回収対象とする魚が存在する水域が、魚を集める集魚領域および魚が成育する成育領域に、水面下に魚が集魚領域と成育領域との間で通過可能な大きさの連通部が設けられた仕切部により水面から底にかけて仕切られる。また、連通部に設けられた逆止弁により、魚の集魚領域から成育領域への通過が防止され、成育領域から集魚領域への通過が可能とされる。そして、排水部により成育領域から排水されると共に、給水部により集魚領域に給水される。
【００１５】
このように、第１の発明の魚回収システムによれば、水域が、連通部が設けられた仕切部により集魚領域および成育領域に仕切られ、排水部により成育領域から排水されると共に、給水部により集魚領域に給水されるので、集魚領域から成育領域への水流が発生する。これにより、成育領域に存在する魚を、遡上の習性により連通部を介して集魚領域へと移動させることができる結果、成育領域から魚を回収する場合に比較して、魚の位置にかかわらず、効率よく魚を回収することができる。また、第１の発明の魚回収システムによれば、連通部に逆止弁が設けられているので、集魚領域に集められた魚が成育領域へ逆戻りすることができなくなる結果、より効率よく魚を回収することができる。
【００１６】
一方、上記目的を達成するために、第２の発明の魚回収システムは、回収対象とする魚が成育する成育領域の外部に、前記魚を集める集魚領域を形成すると共に、水面下に前記魚が前記集魚領域と前記成育領域との間で通過可能な大きさの連通部が設けられた集魚部と、前記連通部に設けられ、前記魚の前記集魚領域から前記成育領域への通過を防止し、前記成育領域から前記集魚領域への通過を可能とする逆止弁と、前記成育領域から排水する排水部と、前記集魚領域に給水する給水部と、を有している。
【００１７】
第２の発明の魚回収システムによれば、回収対象とする魚が成育する成育領域の外部に、魚を集める集魚領域が、水面下に魚が集魚領域と成育領域との間で通過可能な大きさの連通部が設けられた集魚部により形成される。また、連通部に設けられた逆止弁により、魚の集魚領域から成育領域への通過が防止され、成育領域から集魚領域への通過が可能とされる。そして、排水部により成育領域から排水されると共に、給水部により集魚領域に給水される。
【００１８】
このように、第２の発明の魚回収システムによれば、集魚領域が、連通部が設けられた集魚部により形成され、排水部により成育領域から排水されると共に、給水部により集魚領域に給水されるので、集魚領域から成育領域への水流が発生する。これにより、成育領域に存在する魚を、遡上の習性により連通部を介して集魚領域へと移動させることができる結果、成育領域から魚を回収する場合に比較して、魚の位置にかかわらず、効率よく魚を回収することができる。また、第２の発明の魚回収システムによれば、連通部に逆止弁が設けられているので、集魚領域に集められた魚が成育領域へ逆戻りすることができなくなる結果、より効率よく魚を回収することができる。
【００１９】
なお、第１の発明の魚回収システムは、前記仕切部を複数有し、前記複数の仕切部の連通部に各々設けられ、少なくとも一つは前記魚が通過可能で、かつ他は当該魚が通過できない大きさの網目の複数の網部をさらに有してもよい。これにより、目的とする大きさに応じて魚を選別することができる結果、より効率よく魚を回収することができる。
【００２０】
また、第２の発明の魚回収システムは、前記集魚部を複数有し、前記複数の集魚部の連通部に各々設けられ、少なくとも一つは前記魚が通過可能で、かつ他は当該魚が通過できない大きさの網目の複数の網部をさらに有してもよい。これにより、目的とする大きさに応じて魚を選別することができる結果、より効率よく魚を回収することができる。
【００２２】
また、本発明の魚回収システムは、前記成育領域が、平均的な水深が前記集魚領域より浅い領域とされていてもよい。これにより、成育領域の平均的な水深が集魚領域と等しいか、または集魚領域より深い場合に比較して、より多くの魚を集魚領域に集めることができる結果、より効率よく魚を回収することができる。
【００２３】
特に、本発明の魚回収システムは、前記連通部が、前記成育領域の底に接するように設けられていてもよい。これにより、成育領域に水がほぼなくなった場合においても、集魚領域に水は残っているため、より多くの魚を集魚領域に集めることができる結果、より効率よく魚を回収することができる。
【００２４】
一方、上記目的を達成するために、第３の発明の魚回収方法は、回収対象とする魚が存在する水域を、前記魚を集める集魚領域および前記魚が成育する成育領域に、水面下に前記魚が前記集魚領域と前記成育領域との間で通過可能な大きさの連通部が設けられた仕切部により水面から底にかけて仕切ると共に、前記連通部に、前記魚の前記集魚領域から前記成育領域への通過を防止し、前記成育領域から前記集魚領域への通過を可能とする逆止弁を設け、前記成育領域から排水すると共に、前記集魚領域に給水するものである。
【００２５】
従って、第３の発明の魚回収方法によれば、第１の発明の魚回収システムと同様に作用するので、当該魚回収システムと同様に、魚の位置にかかわらず、効率よく魚を回収することができる。
【００２６】
一方、上記目的を達成するために、第４の発明の魚回収方法は、回収対象とする魚が成育する成育領域の外部に、前記魚を集める集魚領域を、水面下に前記魚が前記集魚領域と前記成育領域との間で通過可能な大きさの連通部が設けられた集魚部により形成すると共に、前記連通部に、前記魚の前記集魚領域から前記成育領域への通過を防止し、前記成育領域から前記集魚領域への通過を可能とする逆止弁を設け、前記成育領域から排水すると共に、前記集魚領域に給水するものである。
【００２７】
従って、第４の発明の魚回収方法によれば、第２の発明の魚回収システムと同様に作用するので、当該魚回収システムと同様に、魚の位置にかかわらず、効率よく魚を回収することができる。
【発明の効果】
【００２８】
本発明によれば、魚の位置にかかわらず、効率よく魚を回収することができる、という効果が得られる。
【図面の簡単な説明】
【００２９】
【図１】実施の形態に係る魚回収システムの構成を示す平面図である。
【図２】実施の形態に係る魚回収システムの構成を示す側面断面図である。
【図３】実施の形態に係る連通部の構成を示す図であり、（Ａ）は図２における領域Ｒを拡大した側面断面図、（Ｂ）は継手および逆止弁の側面図、（Ｃ）は逆止弁の正面図である。
【図４】実施の形態に係る第１の排水部の構成を示す図であり、（Ａ）は側面図、（Ｂ）は正面図である。
【図５】実施の形態に係る水田の水位を第２の水位とする場合の説明に供する側面断面図である。
【図６】実施の形態に係る水田の水位を第３の水位とする場合の説明に供する側面断面図である。
【図７】実施の形態に係る水田の水位を第２の水位から第３の水位に変更する場合の連通部における構成の変更の説明に供する側面断面図である。
【図８】実施の形態に係る魚の回収時における作業の流れを示すフローチャートである。
【図９】実施の形態に係る魚回収システムの他の構成例を示す平面図である。
【図１０】実施の形態に係る魚回収システムの他の構成例を示す側面断面図である。
【図１１】実施の形態に係る魚回収システムの他の構成例における網部の説明に供する正面図である。
【図１２】実施の形態に係る魚回収システムの他の構成例を示す平面図である。
【図１３】実施の形態に係る魚回収システムの他の構成例を示す平面図である。
【図１４】実施の形態に係る魚回収システムの他の構成例を示す平面図である。
【図１５】実施の形態に係る魚回収システムの他の構成例を示す平面図である。
【図１６】実施の形態に係る魚回収システムの他の構成例を示す側面断面図である。
【発明を実施するための形態】
【００３０】
以下、図面を参照して、本発明を実施するための形態について詳細に説明する。なお、ここでは、本発明を、遊休水田（以下、単に「水田」ともいう。）に適用し、回収対象とする魚として、ドジョウを適用した場合について説明する。
【００３１】
まず、図１〜図４を参照して、本実施の形態に係る魚回収システム１０の構成を説明する。なお、図１は、本実施の形態に係る魚回収システム１０の構成を示す平面図であり、図２は、図１のＡ−Ａ線断面図である。また、図３は、連通部の構成を示す図であり、図４（Ａ）は、図１の矢印Ｂ方向に見た第１の排水部２２の側面図であり、図４（Ｂ）は、図４（Ａ）の矢印Ｃ方向に見た第１の排水部２２の正面図である。
【００３２】
図１および図２に示すように、本実施の形態に係る魚回収システム１０は、ドジョウＤが存在する水田１２を、ドジョウＤを集める集魚領域１４およびドジョウＤが成育する成育領域１６に、水面から底にかけて仕切る仕切部１８を備えている。また、本実施の形態に係る魚回収システム１０は、バルブ２０Ａが開閉されることにより集魚領域１４への給水を開始および停止する給水部２０を備えている。さらに、本実施の形態に係る魚回収システム１０は、成育領域１６から排水する第１の排水部２２、および集魚領域１４から排水する第２の排水部２４を備えている。
【００３３】
図２に示すように、本実施の形態に係る魚回収システム１０では、集魚領域１４の底が掘削されており、成育領域１６は、平均的な水深が集魚領域１４より浅い領域とされている。なお、本実施の形態では、成育領域１６は、平均的な水深が集魚領域１４より約３０ｃｍ浅い領域とされているが、これに限らない。例えば、当該水深は、集魚領域１４に集めるドジョウＤの数や、集魚領域１４にドジョウＤを集めておく期間等に応じて、適宜設定してもよい。
【００３４】
一方、本実施の形態に係る仕切部１８は、略矩形状で、かつ平板状の４枚のＦＲＰ（Fiber Reinforced Plastics）板の各々の隣接する端部同士が、各々不図示の釘やネジ等の固定部材により固定されている。
【００３５】
従って、本実施の形態に係る仕切部１８は、各ＦＲＰ板により平面視矩形の各辺が構成され、上端部および下端部が開口部とされた筒状に形成されている。このように、本実施の形態では、仕切部１８の構成部材として、ＦＲＰ板を適用しているが、これに限らない。例えば、仕切部１８の構成部材として、木材の板、ＦＲＰ板以外のプラスチック製の板、耐水性を有する金属の板等の他の部材を適用してもよい。また、本実施の形態では、仕切部１８として、平面視矩形の筒状の物を適用しているが、これに限らない。例えば、仕切部１８として、平面視円形の筒状、すなわち円筒状の物を適用してもよいし、平面視三角形や五角形以上の多角形の筒状の物を適用してもよい。
【００３６】
また、図２に示すように、本実施の形態に係る仕切部１８は、下端部が水田１２の底に埋め込まれることにより水田１２の底に対して固定されている。
【００３７】
また、本実施の形態に係る仕切部１８は、各壁面に、水面下にドジョウＤが集魚領域１４と成育領域１６との間で通過可能な大きさの連通部２６Ａ、２６Ｂが設けられている。なお、以下では、連通部２６Ａ、２６Ｂを区別する必要がない場合は、符号の末尾のアルファベットを省略して説明する。なお、同図では、連通部２６を仕切部１８の各壁面に対して２つずつ設けているが、連通部２６の数は特に限定されない。例えば、連通部２６の数は、仕切部１８の各壁面に１つずつであってもよいし、仕切部１８の壁面毎に異なる数であってもよいし、連通部２６が設けられていない壁面があってもよく、仕切部１８に連通部２６Ａが少なくとも１つ設けられていればよい。
【００３８】
一方、図３（Ａ）に示すように、本実施の形態に係る連通部２６Ａは、長尺状の連通管２６Ａ１、および継手２６Ａ２、２６Ａ３を備えている。本実施の形態に係る連通管２６Ａ１は、短手方向に切断した場合の断面の形状が円形とされており、内部が空洞となっており、両端部が開放されている。また、本実施の形態に係る継手２６Ａ２、２６Ａ３も連通管２６Ａ１と同様に、断面の形状が円形とされており、内部が空洞となっており、両端部が開放されている。また、本実施の形態に係る継手２６Ａ２、２６Ａ３は、一端部の口径が他端部の口径より長い形状とされている。
【００３９】
また、本実施の形態に係る連通部２６Ａでは、連通管２６Ａ１の外径と継手２６Ａ２、２６Ａ３の上記他端部（口径が短い方の端部）の内径とが略同一とされている。そして、本実施の形態に係る連通部２６Ａでは、連通管２６Ａ１の一端部（成育領域１６側の端部）が継手２６Ａ２の上記他端部に差し込まれ、連通管２６Ａ１の他端部（集魚領域１４側の端部）が継手２６Ａ３の上記他端部に差し込まれている。
【００４０】
さらに、本実施の形態に係る継手２６Ａ３は、上記一端部（口径が長い方の端部）が、水田１２の深さ方向に対して斜めに切断されており、当該一端部に当該一端部の面と略同じ形状および大きさの逆止弁２６Ａ４が設けられている。逆止弁２６Ａ４は、上端部が結束バンド２６Ａ５により継手２６Ａ３の上端部に対して固定されており、下端部が紐２６Ａ６により継手２６Ａ３の下端部と繋がれている。また、紐２６Ａ６は、図３（Ｂ）に示すように、伸長した状態で、逆止弁２６Ａ４と継手２６Ａ３の上記一端部との間にドジョウＤが通過可能な隙間ができる長さとされている。また、逆止弁２６Ａ４は、図３（Ｃ）に示すように、ドジョウＤが通過できない大きさの網目の網とされている。
【００４１】
すなわち、逆止弁２６Ａ４は、図３（Ａ）に示す状態で、ドジョウＤにより継手２６Ａ３の内側から押圧されることによって、図３（Ｂ）に示す状態となる。そして、逆止弁２６Ａ４は、ドジョウＤが逆止弁２６Ａ４と継手２６Ａ３の上記一端部との隙間を通過して集魚領域１４に移動した後、その自重により図３（Ａ）に示す状態に戻る。以上の構成により、ドジョウＤは、連通部２６Ａを介しての成育領域１６から集魚領域１４への通過が可能とされ、集魚領域１４から成育領域１６への通過が防止される。
【００４２】
一方、図３（Ａ）に示すように、本実施の形態に係る連通部２６Ｂは、長尺状の連通管２６Ｂ１、および一対の蓋部２６Ｂ２を備えている。本実施の形態に係る連通管２６Ｂ１は、連通管２６Ａ１と同様に、短手方向に切断した場合の断面の形状が円形とされており、内部が空洞となっており、両端部が開放されている。また、本実施の形態に係る一対の蓋部２６Ｂ２は、断面の形状が円形とされており、内部が空洞となっており、一端部が閉鎖され、他端部が開放されている。
【００４３】
また、本実施の形態に係る連通部２６Ｂでは、連通管２６Ｂ１の外径と一対の蓋部２６Ｂ２の上記他端部（開放されている方の端部）の内径とが略同一とされている。そして、本実施の形態に係る連通部２６Ｂでは、連通管２６Ｂ１の両端部が一対の蓋部２６Ｂ２の上記他端部に各々差し込まれている。以上の構成により、本実施の形態に係る連通部２６Ｂは、外周部が密閉された状態とされている。
【００４４】
なお、本実施の形態では、連通管２６Ａ１、２６Ｂ１、継手２６Ａ２、２６Ａ３、および蓋部２６Ｂ２の各部材として、厚肉の塩化ビニル管（ＶＰ管）を適用しているが、これに限らない。例えば、当該各部材として、薄肉の塩化ビニル管（ＶＵ管）やステンレス管等を適用してもよい。また、本実施の形態では、逆止弁２６Ａ４として、プラスチック製の網を適用しているが、これに限らない。例えば、逆止弁２６Ａ４として、ステンレス製の網やグラスファイバー製の網等を適用してもよい。また、本実施の形態では、逆止弁２６Ａ４として、自重により図３（Ｂ）に示す状態から図３（Ａ）に示す状態に戻る部材、すなわち、水に沈む部材を適用しているが、これに限らない。例えば、逆止弁２６Ａ４として、水に浮く部材を適用する形態としてもよい。但し、この場合、当該部材の下端部に重りを紐等で付ける形態等とする必要がある。
【００４５】
以上説明した本実施の形態に係る連通部２６Ａ、２６Ｂは、図２および図３（Ａ）に示すように、連通部２６Ａの水田１２の深さ方向の位置が、連通部２６Ｂより高い位置（本実施の形態では、約１０ｃｍ高い位置）とされている。そして、本実施の形態に係る連通部２６Ｂは、下端部が成育領域１６の底に接するように設けられている。
【００４６】
一方、本実施の形態に係る仕切部１８は、上端部の開口部が被覆部２８により覆われている。本実施の形態に係る被覆部２８は、周縁部が、仕切部１８の各壁面の外側の上端部に複数設けられたフック３０に引っ掛けられることにより、仕切部１８に対して固定されている。この構成により、集魚領域１４に集められたドジョウＤに対する外敵による上部からの捕食を防止することができる。なお、本実施の形態では、被覆部２８として、寒冷紗を適用しているが、これに限らない。例えば、被覆部２８として、外敵が通過できない大きさの網目の網等の外敵が通過することが困難で、かつ集魚領域１４の水の透明度、集魚領域１４へのドジョウＤの集まり具合等の集魚領域１４の各種状況を確認することのできる隙間を有する部材を適用してもよい。
【００４７】
一方、図４に示すように、本実施の形態に係る第１の排水部２２は、側面視略Ｔ字状の流入部２２Ａ、長尺状の複数の排水管２２Ｂ、および側面視略Ｌ字状の複数の継手２２Ｃを備えている。本実施の形態に係る流入部２２Ａ、各排水管２２Ｂ、および各継手２２Ｃも内部が空洞とされており、各端部が開放されている。また、各排水管２２Ｂの外径と流入部２２Ａおよび各継手２２Ｃの内径とが略同一とされている。そして、図４に示すように、流入部２２Ａ、各排水管２２Ｂ、および各継手２２Ｃが連結されている。
【００４８】
なお、本実施の形態では、流入部２２Ａ、排水管２２Ｂ、および継手２２Ｃとして、ＶＰ管を適用しているが、これに限らない。例えば、流入部２２Ａ、排水管２２Ｂ、および継手２２Ｃとして、ＶＵ管やステンレス管等の耐水性を有する他の部材を適用してもよい。
【００４９】
また、図４（Ｂ）に示すように、本実施の形態に係る第１の排水部２２では、水が流入する流入部２２Ａの流入口２２ＤにドジョウＤが通過できない大きさの網目の網部２２Ｅが設けられている。これにより、ドジョウＤが第１の排水部２２を通って、水田１２の外側へ移動することを防止することができる。
【００５０】
さらに、本実施の形態に係る第１の排水部２２は、水田１２の底の上に位置する、長手方向が水平方向の排水管２２Ｂを回転軸として矢印Ｅ方向に回動可能とされている。この構成により、当該回動によって、水田１２の水位を細かく調整することができる。
【００５１】
なお、本実施の形態に係る第２の排水部２４は、第１の排水部２２と同様の構成であるため、ここでの説明を省略する。
【００５２】
本実施の形態では、第１の排水部２２を回動させることにより、複数の段階で水田１２の水位を変えてドジョウＤを集魚領域１４に集める。本実施の形態では、一例として、図２、図５、および図６に示すように、３段階で水田１２の水位を変えており、図２に示す第１の水位、図５に示す第２の水位、図６に示す第３の水位に、この順番で順次水位を低くする。また、本実施の形態では、成育領域１６の底を基準として、上記第１の水位を約４０ｃｍとし、上記第２の水位を約１０ｃｍとし、上記第３の水位を略０ｃｍとしている。また、本実施の形態では、上記第１の水位を、ドジョウＤが成育する水位とし、上記第２の水位を、ドジョウＤを回収する際の１段階目の下限の水位とし、上記第３の水位を、水田１２の水位を上記第２の水位とした場合でも、予定していた数のドジョウＤが集魚領域１４に集まらなかった場合に、さらに水位を下げる際の下限の水位としている。
【００５３】
また、本実施の形態では、上記第２の水位から上記第３の水位に水田１２の水位を低くする場合、図７に示すように、連通部２６の構成が変更される。この場合、図３（Ａ）に示す状態の連通管２６Ａ１から継手２６Ａ２、２６Ａ３が外され、連通管２６Ｂ１から一対の蓋部２６Ｂ２が外される。そして、連通管２６Ａ１の両端部に一対の蓋部２６Ｂ２の上記他端部が各々差し込まれる。さらに、連通管２６Ｂ１の上記一端部に継手２６Ａ２の上記他端部が差し込まれ、連通管２６Ｂ１の上記他端部に継手２６Ａ３の上記他端部が差し込まれる。
【００５４】
次に、図８を参照して、本実施の形態に係る魚回収システム１０を用いたドジョウＤの回収を行う際の作業の流れを説明する。なお、図８は、当該作業を行う作業者によって実行される作業の流れを示すフローチャートである。また、本実施の形態では、ドジョウＤが成育領域１６において、回収して市場等に出荷する大きさとして予め定められた大きさ（例えば、１０ｃｍ）まで成育した場合に、上記作業が開始されるものとする。また、本実施の形態では、上記作業が、水田１２の水位が図２に示す第１の水位で開始されるものとする。
【００５５】
まず、同図のステップ１００では、作業者は、流入口２２Ｄの位置が上記第２の水位に対応する位置となるように第１の排水部２２を回動させる。次のステップ１０２では、作業者は、給水部２０のバルブ２０Ａを開けることにより水田１２への給水を開始する。以上の作業により、一例として図２に示すように、水田１２において、集魚領域１４から成育領域１６への連通部２６Ａを介した水流Ｓが発生する。また、この作業により、ドジョウＤが、遡上の習性により成育領域１６から集魚領域１４へ連通部２６Ａを介して移動する環境が整えられる。
【００５６】
なお、本実施の形態では、作業者は、当該水流Ｓの速度が、ドジョウＤが遡上可能な速度として予め定められた速度となるように、バルブ２０Ａを開ける度合いを調整することにより給水部２０からの所定時間当たりの給水量を調整している。また、本実施の形態では、上記予め定められた速度として、本魚回収システム１０を用いた実験や、一般的なドジョウの習性に基づく経験値等により予め得られた速度（本実施の形態では、約０．０４ｍ／ｓ）を適用している。また、本実施の形態では、第１の排水部２２からの所定時間当たりの排水量が、給水部２０からの所定時間当たりの給水量より多くなるように、第１の排水部２２の各構成部の内径および外径が設定されている。
【００５７】
次のステップ１０４では、作業者は、水田１２の水位が上記第２の水位となるまで待機し、次のステップ１０６にて、作業者は、給水部２０のバルブ２０Ａを閉めることにより集魚領域１４への給水を停止する。以上の作業により、魚回収システム１０は、図５に示す状態となる。
【００５８】
次のステップ１０８では、作業者は、成育領域１６にドジョウＤが残っているか否かを確認する。作業者は、成育領域１６にドジョウＤが残っていることを確認した場合は、次のステップ１１０の作業に移行する。このように、本実施の形態では、作業者は、成育領域１６にドジョウＤが１匹でも残っているか否かを確認しているが、これに限らない。例えば、作業者は、成育領域１６に、予め定められた閾値（例えば、水田１２で成育しているドジョウＤの総数の１０％の値）以上の数のドジョウＤが残っているか否かを確認してもよい。
【００５９】
ステップ１１０では、作業者は、前述したように、連通部２６Ａの継手２６Ａ２、２６Ａ３と連通部２６Ｂの一対の蓋部２６Ｂ２とを付け替える。この作業により、連通部２６は、図７に示す状態となる。次のステップ１１２では、作業者は、流入口２２Ｄの位置が上記第３の水位に対応する位置となるように第１の排水部２２を回動させる。次のステップ１１４では、作業者は、上記ステップ１０２の作業と同様に、給水部２０のバルブ２０Ａを開けることにより集魚領域１４への給水を開始する。
【００６０】
次のステップ１１６では、作業者は、水田１２の水位が上記第３の水位となるまで待機し、次のステップ１１８にて、作業者は、上記ステップ１０６の作業と同様に、給水部２０のバルブ２０Ａを閉めることにより水田１２への給水を停止する。以上の作業により、魚回収システム１０は、図６に示す状態となる。
【００６１】
一方、上記ステップ１０８の作業において、作業者は、成育領域１６にドジョウＤが残っていないことを確認した場合は、ステップ１２０の作業に移行する。
【００６２】
ステップ１２０では、作業者は、被覆部２８を仕切部１８から取り外し、次のステップ１２２にて、作業者は、網や籠等を用いて集魚領域１４のドジョウＤを回収し、本作業を終了する。また、作業者は、以上の作業の後、回収したドジョウＤを市場等に出荷する作業を行う。
【００６３】
このように、本実施の形態では、作業者は、ドジョウＤを集魚領域１４に集めた直後に、ドジョウＤを回収しているがこれに限らない。例えば、作業者は、ドジョウＤを集魚領域１４に集めた後に、全ての連通部２６の両端部に蓋部２６Ｂ２を取り付け、バルブ２０Ａを開けることにより集魚領域１４への給水を開始する。そして、作業者は、集魚領域１４の水位が上記第１の水位となった時点で、バルブ２０Ａを閉めることにより集魚領域１４への給水を停止する。さらに、作業者は、ドジョウＤを集魚領域１４で所定期間畜養した後に、流入口の位置が上記第３の水位に対応する位置となるように第２の排水部２４を回動させることにより集魚領域１４の水位を上記第３の水位とし、その後にドジョウＤを回収してもよい。これにより、例えば、上記作業を開始してからドジョウＤを市場等に出荷するまでの期間が比較的長い場合等にも対応することができる。
【００６４】
以上詳細に説明したように、本実施の形態では、回収対象とする魚（本実施の形態では、ドジョウＤ）が存在する水域（本実施の形態では、水田１２）が、魚を集める集魚領域（本実施の形態では、集魚領域１４）および前記魚が成育する成育領域（本実施の形態では、成育領域１６）に、水面下に魚が集魚領域と成育領域との間で通過可能な大きさの連通部（本実施の形態では、連通部２６）が設けられた仕切部（本実施の形態では、仕切部１８）により、水面から底にかけて仕切られる。そして、排水部（本実施の形態では、第１の排水部２２）により成育領域から排水されると共に、給水部（本実施の形態では、給水部２０）により集魚領域に給水される。これにより、魚の位置にかかわらず、効率よく魚を回収することができる。
【００６５】
また、本実施の形態では、連通部に、魚の集魚領域から成育領域への通過を防止し、成育領域から集魚領域への通過を可能とする逆止弁（本実施の形態では、逆止弁２６Ａ４）が設けられているので、より効率よく魚を回収することができる。
【００６６】
また、本実施の形態では、成育領域が、平均的な水深が集魚領域より浅い領域とされているので、より多くの魚を集魚領域に集めることができる結果、より効率よく魚を回収することができる。
【００６７】
さらに、本実施の形態では、連通部が、成育領域の底に接するように設けられているので、より多くの魚を集魚領域に集めることができる結果、より効率よく魚を回収することができる。
【００６８】
以上、本発明を実施の形態を用いて説明したが、本発明の技術的範囲は上記実施の形態に記載の範囲には限定されない。発明の要旨を逸脱しない範囲で上記実施の形態に多様な変更または改良を加えることができ、当該変更または改良を加えた形態も本発明の技術的範囲に含まれる。
【００６９】
また、上記の実施の形態は、クレーム（請求項）にかかる発明を限定するものではなく、また実施の形態の中で説明されている特徴の組み合わせの全てが発明の解決手段に必須であるとは限らない。前述した実施の形態には種々の段階の発明が含まれており、開示される複数の構成要件における適宜の組み合わせにより種々の発明を抽出できる。実施の形態に示される全構成要件から幾つかの構成要件が削除されても、効果が得られる限りにおいて、この幾つかの構成要件が削除された構成が発明として抽出され得る。
【００７０】
例えば、上記実施の形態では、水田１２の水位を３段階で変えた場合について説明したが、本発明はこれに限定されるものではない。例えば、水田１２の水位を２段階で変える形態としてもよいし、水田１２の水位を４段階以上で変える形態としてもよいことは言うまでもない。
【００７１】
また、上記実施の形態では、仕切部１８を１つ設けた場合について説明したが、本発明はこれに限定されるものではない。例えば、図９および図１０に示すように、仕切部１８を複数（同図に示す例では、３つ）設ける形態としてもよい。なお、図１０は、図９のＦ−Ｆ線断面図である。
【００７２】
この形態例の場合、図１１に示すように、継手２６Ａ２の開放されている端部に、各々回収対象とする大きさのドジョウが通過可能で、かつ仕切部１８毎の連通部２６Ａに網目の大きさが異なる網部２６Ａ７を設ける形態としてもよい。なお、一例として、図１１（Ａ）は、体長が約６ｃｍ未満のドジョウＤが通過可能な網部２６Ａ７ａを示し、図１１（Ｂ）は、体長が約９ｃｍ未満のドジョウＤが通過可能な網部２６Ａ７ｂを示し、図１１（Ｃ）は、体長が約１２ｃｍ未満のドジョウＤが通過可能な網部２６Ａ７ｃを示している。さらに、この場合、網部２６Ａ７ａ〜２６Ａ７ｃを、それぞれ図９における各仕切部１８の連通部２６Ａに設ける形態が例示される。この形態例によれば、体長が６ｃｍ未満、９ｃｍ未満、１２ｃｍ未満のドジョウＤを選別して各集魚領域１４に集めることができる。
【００７３】
また、この形態例において、全ての連通部２６Ａにおける網部２６Ａ７の網目の大きさを統一し、網部２６Ａ７を付け替えることにより網部２６Ａ７の網目の大きさを変える形態としてもよい。例えば、この場合、作業者は、まず全ての連通部２６Ａに図１１（Ａ）に示す網部２６Ａ７ａを設けて、図８に示す作業を行い、体長が約６ｃｍ未満のドジョウＤを各集魚領域１４に集めて回収する。そして、全ての連通部２６Ａの網部２６Ａ７ａを図１１（Ｂ）に示す網部２６Ａ７ｂに付け替えて、水田１２の水位を上記第１の水位に戻した後に、図８に示す作業を行い、体長が約６ｃｍ以上９ｃｍ未満のドジョウＤを各集魚領域１４に集めて回収する。同様に、全ての連通部２６Ａの網部２６Ａ７ｂを図１１（Ｃ）に示す網部２６Ａ７ｃに付け替えて、水田１２の水位を上記第１の水位に戻した後に、図８に示す作業を行い、体長が約９ｃｍ以上１２ｃｍ未満のドジョウＤを各集魚領域１４に集めて回収する。この形態例によれば、ドジョウＤを異なる大きさ毎に選別して回収することができる。
【００７４】
さらに、この形態例の場合、図１２に示すように、図１２における左端および右端の各仕切部１８に設けられた連通部２６Ａの継手２６Ａ２を平面視略Ｌ字状のものとし、各連通部２６Ａの成育領域１６側の端部が予め定められた範囲Ｙ内に収まるように連通部２６Ａを設ける形態としてもよい。これにより、ドジョウＤが遡上して成育領域１６の範囲Ｙ内に集まった後に、各連通部２６Ａの網部２６Ａ７の大きさ毎に選別されて各集魚領域１４に移動するので、より効率よくドジョウＤを回収することができる。
【００７５】
また、上記実施の形態では、仕切部１８の設置場所として、水田１２の略中央を適用した場合について説明したが、本発明はこれに限定されるものではない。例えば、仕切部１８の設置場所として、水田１２の四隅の領域や仕切部１８の一辺が水田１２の畦畔に接する領域等を適用する形態としてもよい。
【００７６】
また、上記実施の形態では、仕切部１８を水田１２の内側に設けることにより、水田１２を集魚領域１４および成育領域１６に仕切る場合について説明したが、本発明はこれに限定されるものではない。例えば、図１３に示すように、水田１２全体を成育領域１６とし、成育領域１６の外部に、集魚領域１４を形成する集魚部４０を設けた魚回収システム５０とする形態としてもよい。
【００７７】
この魚回収システム５０では、上記実施の形態と同様に、集魚部４０には、水面下にドジョウＤが集魚領域１４と成育領域１６との間で通過可能な大きさの連通部２６が設けられ、成育領域１６から排水する第１の排水部２２、および集魚領域１４に給水する給水部２０が設けられる。この場合、集魚部４０として、上記実施の形態の仕切部１８と同じ部材や水槽等を適用する形態が例示される。なお、この形態例においても、前述した図１１に示す網部２６Ａ７ａ〜２６Ａ７ｃをそれぞれ連通部２６Ａに設ける形態としてもよい。さらに、この形態例においても、全ての連通部２６Ａにおける網部２６Ａ７の網目の大きさを統一し、網部２６Ａ７を付け替えることにより網部２６Ａ７の網目の大きさを変える形態としてもよい。
【００７８】
また、図１３に示す形態例では、魚回収システム５０に成育領域１６と同じ数の集魚領域１４（同図に示す例では、４つ）を形成する集魚部４０を設けた場合について示したが、これに限らない。例えば、集魚領域１４の数は、集魚領域１４の広さや回収対象とするドジョウの数等に応じて、適宜設定すればよい。この場合、例えば、図１４に示すように、２つの成育領域１６に対して１つの集魚領域１４を形成する集魚部４０を設ける形態が例示される。
【００７９】
さらに、図１５に示すように、水田１２（成育領域１６）に隣接するように集魚部４０を設けた魚回収システム６０とする形態としてもよい。
【００８０】
また、上記実施の形態では、仕切部１８の下端部を水田１２の底に埋め込むことにより、仕切部１８を水田１２の底に固定する場合について説明したが、本発明はこれに限定されるものではない。例えば、図１６に示すように、仕切部１８を水田１２の底に埋め込まず、仕切部１８の下端部を固定部４２により水田１２の底に対して固定する形態としてもよい。なお、この場合、固定部４２として、例えば、レンガや鉄片等の水に浮かない部材が例示される。
【００８１】
さらに、この場合、図１６に示すように、仕切部１８の下端部の開口部を、ドジョウＤが通過できない大きさの網目の被覆部４４で被覆する形態としてもよい。なお、この場合、被覆部４４として、寒冷紗やビニール製の網等が例示される。
【００８２】
また、上記実施の形態では、成育領域１６として、平均的な水深が集魚領域１４より浅い領域を適用した場合について説明したが、本発明はこれに限定されるものではない。例えば、図１６に示すように、成育領域１６として、平均的な水深が集魚領域１４と同じ領域を適用する形態としてもよい。
【００８３】
また、上記実施の形態では、仕切部１８の上端部の開口部を被覆部２８で被覆する場合について説明したが、本発明はこれに限定されるものではない。例えば、図１６に示すように、仕切部１８の上端部の開口部を被覆部２８で被覆しない形態としてもよいことは言うまでもない。
【００８４】
また、上記実施の形態では、人手による作業によりバルブ２０Ａを開閉することによって給水部２０からの給水を開始および停止する場合について説明したが、本発明はこれに限定されるものではない。例えば、給水部２０に共に不図示のポンプ、および当該ポンプを制御する制御部を設け、当該制御部により当該ポンプを制御することによって、給水部２０からの給水の開始および停止を電気的に制御する形態としてもよい。
【００８５】
また、上記実施の形態では、人手による作業により第１の排水部２２および第２の排水部２４を回動させる場合について説明したが、本発明はこれに限定されるものではない。例えば、第１の排水部２２および第２の排水部２４に共に不図示のモータ、および当該モータの駆動を制御する制御部を設け、当該モータの駆動を当該制御部により制御することによって、第１の排水部２２および第２の排水部２４の回動を電気的に制御する形態としてもよい。
【００８６】
また、上記実施の形態では、魚回収システム１０の設置場所として、遊休水田を適用した場合について説明したが、本発明はこれに限定されるものではない。例えば、魚回収システム１０の設置場所として、稲作等を行っている水田の空いている領域を適用してもよいし、水田以外の人工の池や天然の池、水槽等、回収対象とする魚が成育可能な他の水域を適用する形態としてもよい。また、魚回収システム１０の設置場所は、屋外に限定されず、屋内とする形態としてもよい。
【００８７】
また、上記実施の形態では、回収対象とする魚として、ドジョウを適用した場合について説明したが、本発明はこれに限定されるものではない。例えば、回収対象とする魚として、メダカ、コイ、フナ、ナマズ等の遡上する習性を有する他の魚を適用する形態としてもよい。
【００８８】
その他、上記実施の形態で説明した魚回収システム１０の構成（図１〜図４参照。）は一例であり、本発明の主旨を逸脱しない範囲内において、不要な構成要素を削除したり、新たな構成要素を追加したりすることができることは言うまでもない。
【００８９】
さらに、上記実施の形態で示した魚を回収する際の作業の流れ（図８参照。）も一例であり、本発明の主旨を逸脱しない範囲内において、不要なステップを削除したり、新たなステップを追加したり、ステップの順序を入れ替えたりすることができることは言うまでもない。
【符号の説明】
【００９０】
１０  魚回収システム
１２  水田（水域）
１４  集魚領域
１６  成育領域
１８  仕切部
２０  給水部
２２  第１の排水部（排水部）
２６Ａ、２６Ｂ  連通部
２６Ａ４  逆止弁
２６Ａ７  網部
４０  集魚部
５０  魚回収システム
６０  魚回収システム
Ｄ  ドジョウ（魚）
【要約】
【課題】魚の位置にかかわらず、効率よく魚を回収することのできる魚回収システムおよび魚回収方法を得る。
【解決手段】魚回収システム１０を、回収対象とするドジョウＤが存在する水田１２を、ドジョウＤを集める集魚領域１４およびドジョウＤを成育する成育領域１６に、水面から底にかけて仕切ると共に、水面下にドジョウＤが集魚領域１４と成育領域１６との間で通過可能な大きさの連通部２６Ａが設けられた仕切部１８と、成育領域１６から排水する第１の排水部２２と、集魚領域１４に給水する給水部２０と、を備えて構成する。
【選択図】図２【図１】
0005639301.tif 000002
【図２】
0005639301.tif 000003
【図３】
0005639301.tif 000004
【図４】
0005639301.tif 000005
【図５】
0005639301.tif 000006
【図６】
0005639301.tif 000007
【図７】
0005639301.tif 000008
【図８】
0005639301.tif 000009
【図９】
0005639301.tif 000010
【図１０】
0005639301.tif 000011
【図１１】
0005639301.tif 000012
【図１２】
0005639301.tif 000013
【図１３】
0005639301.tif 000014
【図１４】
0005639301.tif 000015
【図１５】
0005639301.tif 000016
【図１６】
0005639301.tif 000017